(57)【要約】  ユーザ状況に適応していない情報を提示した場合でも、その提示情報がユーザに唐突感を与えることや無視されることを軽減することができるコンテンツ提示装置を提供する。  本発明のコンテンツ提示装置は、目的情報を記憶する目的情報記憶部（１０３）と、目的情報に含まれる代表的な情報である代表情報を記憶する代表情報記憶部（１０９）と、ユーザの状況に適応した情報である適応情報を取得する適応情報取得部（１０６）と、適応情報と代表情報とを接合する代表情報接合部（１１１）と、接合された適応情報と代表情報とを提示した後にコンテンツを提示する情報提示部（１２０）とを備える。
2007072675.tif 000002
【特許請求の範囲】
【請求項１】
コンテンツを提示するコンテンツ提示装置であって、
前記コンテンツを取得するコンテンツ取得手段と、
前記コンテンツに含まれる代表的な情報である代表情報を取得する代表情報取得手段と、
ユーザの状況に適応した情報である適応情報を取得する適応情報取得手段と、
前記適応情報取得手段によって取得された前記適応情報と前記代表情報取得手段によって取得された前記代表情報とを接合する接合手段と、
前記接合手段によって接合された前記適応情報と前記代表情報とを提示した後、前記コンテンツ取得手段によって取得された前記コンテンツを提示する提示手段と
を備えることを特徴とするコンテンツ提示装置。
【請求項２】
前記接合手段は、前記適応情報と前記代表情報とが時間的に続けて提示されるように、前記代表情報が前記適応情報に時間的に割り込んで提示されるように、前記適応情報と前記代表情報とが時間的に重なって提示されるように、前記適応情報と前記代表情報とが空間的に並んで提示されるように、前記代表情報が前記適応情報に空間的に割り込んで提示されるように、または、前記適応情報と前記代表情報とが空間的に重なって提示されるように制御することで、前記適応情報と前記代表情報とを接合する
ことを特徴とする請求項１記載のコンテンツ提示装置。
【請求項３】
前記コンテンツ提示装置は、さらに、
前記代表情報を提示する状況であるかを判定する代表情報提示判定手段を備え、
前記接合手段は、前記代表情報を提示する状況であると判定された場合、前記適応情報と前記代表情報とを接合する
ことを特徴とする請求項１記載のコンテンツ提示装置。
【請求項４】
前記代表情報提示判定手段は、前記適応情報の情報種別が緊急または警告でない場合、前記代表情報を提示する状況であると判定する
ことを特徴とする請求項３記載のコンテンツ提示装置。
【請求項５】
前記適応情報取得手段は、ユーザを取り巻く環境に関係する情報を適応情報として取得することを特徴とする請求項１記載のコンテンツ提示装置。
【請求項６】
前記適応情報取得手段は、現在時刻を示す時刻情報とユーザの現在位置を示す位置情報のうちの少なくとも１つに関係する情報を適応情報として取得する
ことを特徴とする請求項１記載のコンテンツ提示装置。
【請求項７】
前記提示手段は、ユーザ装着型の透過型ディスプレイである
ことを特徴とする請求項１記載のコンテンツ提示装置。
【請求項８】
コンテンツを提示するコンテンツ提示方法であって、
前記コンテンツを取得するコンテンツ取得ステップと、
前記コンテンツに含まれる代表的な情報である代表情報を取得する代表情報取得ステップと、
ユーザの状況に適応した情報である適応情報を取得する適応情報取得ステップと、
前記適応情報取得ステップにおいて取得された前記適応情報と前記代表情報取得ステップにおいて取得された前記代表情報とを接合する接合ステップと、
前記接合ステップにおいて接合された前記適応情報と前記代表情報とを提示した後、前記コンテンツ取得ステップにおいて取得された前記コンテンツを提示する提示ステップと
を含むことを特徴とするコンテンツ提示方法。
【請求項９】
コンテンツを提示するためのプログラムであって、
前記コンテンツを取得するコンテンツ取得ステップと、
前記コンテンツに含まれる代表的な情報である代表情報を取得する代表情報取得ステップと、
ユーザの状況に適応した情報である適応情報を取得する適応情報取得ステップと、
前記適応情報取得ステップにおいて取得された前記適応情報と前記代表情報取得ステップにおいて取得された前記代表情報とを接合する接合ステップと、
前記接合ステップにおいて接合された前記適応情報と前記代表情報とを提示した後、前記コンテンツ取得ステップにおいて取得された前記コンテンツを提示する提示ステップと
をコンピュータに実行させるためのプログラム。
【請求項１０】
コンテンツを提示するためのプログラムを記録したコンピュータ読み取り可能な記録媒体であって、
前記コンテンツを取得するコンテンツ取得ステップと、
前記コンテンツに含まれる代表的な情報である代表情報を取得する代表情報取得ステップと、
ユーザの状況に適応した情報である適応情報を取得する適応情報取得ステップと、
前記適応情報取得ステップにおいて取得された前記適応情報と前記代表情報取得ステップにおいて取得された前記代表情報とを接合する接合ステップと、
前記接合ステップにおいて接合された前記適応情報と前記代表情報とを提示した後、前記コンテンツ取得ステップにおいて取得された前記コンテンツを提示する提示ステップと
をコンピュータに実行させるためのプログラムを記録した記録媒体。
【請求項１１】
コンテンツを提示する集積回路であって、
前記コンテンツを取得するコンテンツ取得手段と、
前記コンテンツに含まれる代表的な情報である代表情報を取得する代表情報取得手段と、
ユーザの状況に適応した情報である適応情報を取得する適応情報取得手段と、
前記適応情報取得手段によって取得された前記適応情報と前記代表情報取得手段によって取得された前記代表情報とを接合する接合手段と、
前記接合手段によって接合された前記適応情報と前記代表情報とを提示した後、前記コンテンツ取得手段によって取得された前記コンテンツを提示する提示手段と
を備えることを特徴とする集積回路。
【発明の詳細な説明】
【技術分野】
【０００１】
本発明は、コンテンツを提示する装置に関し、特に、ＨＭＤ（ヘッドマウントディスプレイ）やプロジェクターなどで、映像やＢＧＭやキャラクターなどのコンテンツをユーザに提示することによって、ユーザを誘導する装置に関する。
【背景技術】
【０００２】
従来、ユーザが直接指定していない情報を自動提示するシステムとして、広告提示システムや、ユーザ状況に応じた情報を提示するシステムがあった。【０００３】
例えば、ユーザが文書の提示をシステムに要求した際に、要求された文書に広告を付けて提示するシステムがあった（例えば、特許文献１参照）。このシステムによると、ユーザが指定した文書に関連した広告をユーザに見せることができる。【０００４】
また、類似したシステムとして、インターネットのＷＷＷ（Ｗｏｒｌｄ  Ｗｉｄｅ  Ｗｅｂ）でユーザが検索した情報をシステムが提示する際に、その情報の近傍に関連広告を表示するシステムがあった（例えば、特許文献２参照）。このシステムによると、ユーザが検索した情報に類似した広告をユーザに見せることができる。【０００５】
また、ユーザが居る位置に関連する情報を提示するカーナビゲーションシステムがあった（例えば、特許文献３参照）。このシステムによると、ユーザの居場所に関連した情報をユーザに見せることができる。
【特許文献１】特開２００４−１１８７１６号公報
【特許文献２】国際公開第０１／０８００７５号パンフレット
【特許文献３】特開２００３−１０６８４４号公報
【発明の開示】
【発明が解決しようとする課題】
【０００６】
従来のシステムでは、ユーザの状況（読みたい文書の要求、見たい情報の検索、現在位置など）に関連した情報を提示することはできても、関連していない情報は提示されない。【０００７】
一方で、ユーザの状況に関連した情報提示では、解決できない誘導分野がある。例えば、通勤中のユーザに対して電車に乗ったら英会話番組を視聴させるシステムの場合、ユーザが電車に乗った状況を検知して英会話番組を自動再生させたとしても、ユーザがその番組を視聴するとは限らない。そこで、ユーザが英会話番組を視聴するように誘導するために、電車に乗る以前に英会話番組の予告等を見せておく方法が考えられる。【０００８】
しかし、まだ電車に乗っていないユーザに対して突然予告等を提示することは、ユーザの状況に適応していない情報を提示することとなる。ユーザの状況に適応していない情報を提示すると、その提示情報がユーザに唐突感を与えたり無視されてしまったりする課題がある。このような課題に対しては、何ら対策がされていないのが現状である。【０００９】
本発明は、前記課題を解決するもので、ユーザ状況に適応していない情報を提示した場合でも、その提示情報がユーザに唐突感を与えることや無視されることを軽減することができるコンテンツ提示装置を提供することを目的とする。
【課題を解決するための手段】
【００１０】
前記従来の課題を解決するために、本発明のコンテンツ提示装置は、前記コンテンツを取得するコンテンツ取得手段と、前記コンテンツに含まれる代表的な情報である代表情報を取得する代表情報取得手段と、ユーザの状況に適応した情報である適応情報を取得する適応情報取得手段と、前記適応情報取得手段によって取得された前記適応情報と前記代表情報取得手段によって取得された前記代表情報とを接合する接合手段と、前記接合手段によって接合された前記適応情報と前記代表情報とを提示した後、前記コンテンツ取得手段によって取得された前記コンテンツを提示する提示手段とを備える。これにより、適応情報と代表情報とが接合されて提示されるので、代表情報がユーザの状況に適応していない場合でも、その代表情報がユーザに唐突感を与えることや無視されることを軽減することができる。さらに、代表情報を視聴させられることから、コンテンツの視聴に対する唐突感も合わせて軽減できる効果もある。【００１１】
ここで、前記接合手段は、前記適応情報と前記代表情報とが時間的に続けて提示されるように、前記代表情報が前記適応情報に時間的に割り込んで提示されるように、前記適応情報と前記代表情報とが時間的に重なって提示されるように、前記適応情報と前記代表情報とが空間的に並んで提示されるように、前記代表情報が前記適応情報に空間的に割り込んで提示されるように、または、前記適応情報と前記代表情報とが空間的に重なって提示されるように制御することで、前記適応情報と前記代表情報とを接合してもよい。これにより、ユーザの状況や好みに応じた態様で、適応情報と代表情報とを接合することができる。【００１２】
また、前記コンテンツ提示装置は、さらに、前記代表情報を提示する状況であるかを判定する代表情報提示判定手段を備え、前記接合手段は、前記代表情報を提示する状況であると判定された場合、前記適応情報と前記代表情報とを接合してもよい。これにより、代表情報を提示することが適応情報を提示することの邪魔にならない場合のみ、適応情報と代表情報とを接合することができる。【００１３】
また、前記代表情報提示判定手段は、前記適応情報の情報種別が緊急または警告でない場合、前記代表情報を提示する状況であると判定してもよい。これにより、適応情報の情報種別が緊急または警告である場合は代表情報が提示されないので、適応情報を視聴したユーザの行動を阻害することを避けられる効果がある。【００１４】
また、前記適応情報取得手段は、ユーザを取り巻く環境に関係する情報を適応情報として取得してもよい。ユーザを取り巻く環境に関係する情報はユーザにとって便利な情報が多いので、このような便利な情報を提示するついでに代表情報を提示することが可能となる。【００１５】
また、前記適応情報取得手段は、現在時刻を示す時刻情報とユーザの現在位置を示す位置情報のうちの少なくとも１つに関係する情報を適応情報として取得してもよい。時刻情報や位置情報と関係する情報はユーザにとって便利な情報が多いので、このような便利な情報を提示するついでに代表情報を提示することが可能となる。【００１６】
また、前記提示手段は、ユーザ装着型の透過型ディスプレイでもよい。これにより、ユーザが意識的に画面を見ようとしなくても代表情報が自然と視界に映るために、ユーザが代表情報を視聴する可能性が高まる効果がある。【００１７】
なお、本発明は、このようなコンテンツ提示装置として実現することができるだけでなく、このようなコンテンツ提示装置が備える特徴的な手段を備える集積回路として実現したり、このようなコンテンツ提示装置が備える特徴的な手段をステップとするコンテンツ提示方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【発明の効果】
【００１８】
本発明のコンテンツ提示装置によれば、適応情報と代表情報とが接合されて提示されるので、代表情報がユーザの状況に適応していない場合でも、その代表情報がユーザに唐突感を与えることや無視されることを軽減することができる。さらに、代表情報を視聴させられることから、コンテンツの視聴に対する唐突感も合わせて軽減できる効果もある。
【図面の簡単な説明】
【００１９】
【図１】図１は、本発明の実施の形態１におけるＨＭＤの外観図である。
【図２】図２は、本発明の実施の形態１における誘導装置の構成図である。
【図３】図３は、本発明の実施の形態１における代表情報提示判定部の動作を示す図である。
【図４】図４は、本発明の実施の形態１における提示状況例の説明図である。
【図５】図５は、本発明の実施の形態１における提示情報の例を示す図である。
【図６】図６は、本発明の実施の形態１における提示例を示す図である。
【図７】図７は、本発明の実施の形態１における情報管理表の例を示す図である。
【図８】図８（Ａ）（Ｂ）（Ｃ）（Ｄ）は、本発明の実施の形態１におけるＨＭＤを装着したユーザの視野映像を示す図である。
【図９】図９（Ａ）（Ｂ）（Ｃ）（Ｄ）は、本発明の実施の形態１におけるＨＭＤを装着したユーザの視野映像を示す図である。
【図１０】図１０（Ａ）（Ｂ）（Ｃ）（Ｄ）は、本発明の実施の形態１におけるＨＭＤを装着したユーザの視野映像を示す図である。
【図１１】図１１（Ａ）（Ｂ）（Ｃ）は、本発明の実施の形態１における接合の具体例を説明するための図である。
【図１２】図１２は、本発明の実施の形態１における接合の具体例を説明するための図である。
【図１３】図１３は、本発明の実施の形態１における接合の具体例を説明するための図である。
【図１４】図１４は、本発明の実施の形態１における接合の具体例を説明するための図である。
【符号の説明】
【００２０】
１０１    目的設定部
１０２    誘導立案部
１０３    目的情報記憶部
１０４    目的状況判定部
１０６    適応情報取得部
１０７    適応状況判定部
１０９    代表情報記憶部
１１０    代表情報提示判定部
１１１    代表情報接合部
１２０    情報提示部
【発明を実施するための最良の形態】
【００２１】
以下、本発明の実施の形態について、図面を参照しながら説明する。【００２２】
（実施の形態１）
図１は、本発明の実施の形態１におけるＨＭＤ（ヘッドマウントディスプレイ）１０の外観図である。普通の眼鏡１１の上に小さな投影装置１２がのっている。投影装置１２には、画像データや電力などがケーブル１３を通して本体１４から送られる。投影装置１２に送られた画像データは、眼鏡１１のレンズに沿って装着される表示プリズムに２７度程度の視野角で投影される。画像データが投影されていないときは、ごく普通に眼鏡を通してあたりの風景を見ることができる。一方、画像データが投影されているときは、その風景の中に投影中の画像が浮かんで見える。【００２３】
ここでは、ケーブル１３を通じて本体１４から情報を取得することとしているが、通信手段を備えればインターネット等から情報を取得することも可能である。また、単眼用のＨＭＤを例示しているが、両眼用のＨＭＤを採用することも可能である。さらに、透過型のＨＭＤを例示しているが、密閉型のＨＭＤを採用することも可能である。透過型のＨＭＤとは、外界光の入射による自然画像とともに仮想の画像をユーザに提示するタイプのＨＭＤをいい、密閉型のＨＭＤとは、外界光の入射を遮断して仮想の画像のみをユーザに提示するタイプのＨＭＤをいう。【００２４】
図２は、本発明の実施の形態１における誘導装置の構成図である。この誘導装置は、コンテンツを提示する装置であって、本発明に係るコンテンツ提示装置に相当する。【００２５】
図２の構成図において、各構成要素とその関係を記す。【００２６】
目的設定部１０１は、ユーザの誘導目的を設定する。誘導目的（以下「目的」とも記す）は、ユーザの行動に関する目的や、外界状況に関する目的、身体状態や心理状態に関する目的でもよいし、それらの組み合わせでもよい。例えば、通勤時に電車内で英会話番組を視聴することでもよいし、ある物理地点への到達でもよいし、体重や体形の変更でもよいし、英語の試験の点数でもよいし、英語に対する学習意欲向上でもよい。目的は、ユーザ自身が設定してもよいし、家族や知人や誘導サービス提供者などユーザ以外の人が設定してもよいし、誘導装置が自動で目的を推測して設定してもよいし、それらの組み合わせでもよい。【００２７】
誘導立案部１０２は、本発明に係るコンテンツ取得手段および代表情報取得手段に相当し、具体的には、前記目的設定部で設定された誘導目的を表す目的情報と前記目的情報の一部を含む代表情報とを生成する。目的情報は、本発明に係るコンテンツに相当し、具体的には、目的が情報視聴である場合はその情報を意味し、目的がユーザ行動や外界状況や身体状態や心理状態である場合は、それらを促したり気付かせたりする情報を意味する。例えば、目的が英会話番組の視聴である場合は、目的情報は英会話番組となる。目的が物理地点への到達である場合は、目的情報はユーザの進路変更を促す情報や目的地到達を知らせる情報となる。目的が体重や体形の変更である場合は、目的情報は特定の食事や運動などの行動を勧めたり止めたりする情報や目的の体重や体形への到達を知らせる情報となる。同様に、目的が英語の試験の点数や学習意欲向上である場合は、目的情報は英語教材そのものや英語学習の開始を促す情報や目的到達を知らせる情報となる。【００２８】
目的から目的情報を生成するために、誘導立案部は目的情報生成データベースを保持、あるいは外部のデータベースへの参照を保持している。データベースには、設定される目的に応じた目的情報が登録されている。目的情報は、ユーザ自身が登録してもよいし、誘導サービス提供者などユーザ以外の人が登録してもよいし、ユーザやユーザ以外の利用者の過去の登録や履歴を用いて誘導システムが自動で推測して登録してもよいし、それらの組み合わせでもよい。【００２９】
代表情報は、目的情報に含まれる代表的な情報である。代表情報は目的情報の提示に先んじて提示される特徴を持ち、目的情報提示の効果を上げるために提示される。例えば、目的情報が英会話番組の場合は、代表情報は英会話番組のオープニング画面や特徴的なシーンとなる。目的情報がユーザの進路変更を促す「次を右折です。」といった情報の場合は、代表情報は進路の選択肢が存在することを気付かせる「右折もできるのかぁ。」といった情報や、何らかの変更を促すことを予告する「次は、どちらかなぁ。」といった情報となる。目的情報が特定の食事や運動などの行動を促す「お茶にしましょう」や「階段を使いましょう」といった情報の場合は、代表情報は行動を促す前に行動の選択肢の存在を気付かせる「お茶もあるね。」や「この階段をクリアできるか？」といった情報となる。なお、ここでいう「次を右折です。」「お茶にしましょう」「階段を使いましょう」といった情報は目的情報の一例であって、本発明に係るコンテンツに相当する。【００３０】
目的情報から代表情報を生成するために、誘導立案部は目的情報から主要な一部を切り出し、切り出した一部に補足的な情報を加えることで代表情報を生成する。主要な一部の判定方法は、予め目的情報にメタデータ等の付加情報が与えられている場合は、付加情報の種類や数値を用いて選択する方法でもよい。一方、付加情報が与えられていない場合は、最初の５秒分のシーンを切り出す方法や特徴的な言葉を抽出する方法など、予め決めておいた方法を用いてもよい。また、切り出した一部に補足的な情報を加える方法は、予め登録しておいた補足的な情報を選択して加える方法でもよいし、テンプレートのように切り出した一部を加えることのできる形式の情報を用いてもよいし、それらの組み合わせでもよい。補足的な情報を加えずに、目的情報の一部のみを代表情報としてもよい。【００３１】
目的情報記憶部１０３は、前記誘導立案部１０２で生成された目的情報を記憶する。記憶とは、生成された情報を使用するまでの間、保持しておくことを意味する。なお、情報そのものを保持していなくても、情報への参照を保持しておいてもよい。【００３２】
目的情報記憶部１０３は、ひとつの目的を記憶するためにひとつの目的設定表と称する表を作成し、その表を用いて目的情報を記憶する。目的設定表には、目的情報の名称である目的情報名、目的情報を提示する際のユーザ状況である目的状況、目的情報の提示の有無や回数を示す提示状況を含んでもよい。例えば、目的情報として英会話番組を記憶するための目的設定表には、目的情報名として「番組Ａ」、目的状況として「平日午前にユーザが乗車駅を通過した直後」、提示状況として「未提示」が含まれる。目的は複数あってもよい。【００３３】
目的状況判定部１０４は、前記目的情報を提示する状況であるかを判定する。目的状況判定部１０４は、ユーザの状況や状態を取得する各種センサーからユーザ状況を取得し、前記目的状況に現状況が合致するかどうかを判定し、合致する場合は、目的情報を提示すると判定する。各種センサーとして、ＧＰＳ（Ｇｌｏｂａｌ  Ｐｏｓｉｔｉｏｎｉｎｇ  Ｓｙｓｔｅｍ）や、時計や、スケジューラなどを保持していてもよい。内部の各種センサーから情報を取得するのではなく、外部の各種センサーから情報を取得してもよい。目的状況と現状況との合致は、完全な一致を判定してもよいし、所定の範囲内での近似を合致として扱ってもよい。例えば、目的設定表の目的情報名が「番組Ａ」で、目的状況が「平日午前にユーザが乗車駅を通過した直後」であった場合、目的状況判定部１０４は、保持している時計より現在が平日午前であると判定する。また、ユーザが装着しているＧＰＳからの現在位置情報と、ユーザが予め登録しておいた乗車駅の位置情報とを比較する。このようにすれば、現在位置情報と乗車駅の位置情報との差が１００メートル以内に入った後、ユーザが乗車した電車が出発したことで現在位置情報と乗車駅の位置情報との差が１００メートル以上になった時、目的情報を提示すると判定できる。【００３４】
適応情報取得部１０６は、本発明に係る適応情報取得手段に相当し、具体的には、ユーザ状況に応じて提示する適応情報を取得する。適応情報とは、ユーザ状況に適応した情報を意味する。例えば、電車に乗るために駅まで歩いているユーザに対する適応情報は、電車到着までの残り時間でもよい。歩いて駅までたどり着いたユーザに対する適応情報は、電車の時刻表でもよい。商店街に居るユーザに対する適応情報は、近くにある店紹介でもよい。言い換えると、適応情報は、ユーザを取り巻く環境に関係する情報、より具体的には、現在時刻を示す時刻情報とユーザの現在位置を示す位置情報のうちの少なくとも１つに関係する情報ということができる。さらに適応情報取得部１０６は、ひとつの適応情報を管理するためにひとつの適応情報表と称する表を作成してもよい。適応情報表には、適応情報の名称である適応情報名や、適応情報を提示する状況を示す適応状況や、適応情報の種別を表す情報種別が含まれてもよい。例えば、適応情報が電車到着までの残り時間である場合の適応情報表には、適応情報名として「時刻通知Ａ」、適応状況として、電車到着の１０分前を表す「平日の７時０２分」、情報種別として「通常通知情報」が含まれる。適応情報は複数あってもよい。適応情報取得部１０６が適応情報を取得する方法は、予めユーザが適応情報を登録しておく方法でもよいし、外部の適応情報への参照を登録しておき、携帯電話網や無線通信網などを使用して外部の適応情報を取得する方法でもよい。【００３５】
適応状況判定部１０７は、前記適応情報を提示する状況であるかを判定する。適応状況判定部１０７は、ユーザの状況や状態を取得する各種センサーからユーザ状況を取得し、前記適応状況に現状況が合致するかどうかを判定し、合致する場合は、適応情報を提示すると判定する。各種センサーとして、ＧＰＳや、時計や、スケジューラなどを保持していてもよい。内部の各種センサーから情報を取得するのではなく、外部の各種センサーから情報を取得してもよい。適応状況と現状況との合致は、完全な一致を判定してもよいし、所定の範囲内での近似を合致として扱ってもよい。例えば、適応情報表の適応情報名が「時刻通知Ａ」で、適応状況が「平日の７時０２分」であった場合、適応状況判定部１０７は、保持している時計より現在が平日の７時０２分であると判定し、時刻通知Ａを提示すると判定できる。適応状況判定部１０７が保持したり使用したりする各種センサーは、目的状況判定部１０４が保持したり使用したりする各種センサーと同一のセンサーでもよいし、別のセンサーでもよい。【００３６】
代表情報記憶部１０９は、前記誘導立案部で生成された代表情報を記憶する。記憶とは、生成された情報を使用するまでの間、保持しておくことを意味する。なお、情報そのものを保持していなくても、情報への参照を保持しておいてもよい。代表情報記憶部１０９は、ひとつの代表情報を記憶するためにひとつの代表情報表と称する表を作成し、その表を用いて代表情報を記憶する。代表情報表には、代表情報の名称である代表情報名、その代表情報がどの目的情報の一部を含んでいるかを示す目的情報、代表情報を適応情報に接合して提示する際の条件を示す接合状況が含まれてもよい。例えば、代表情報として英会話番組のオープニング画面を記憶するための代表情報表には、代表情報名として「代表情報Ａ」、目的情報として、英会話番組を示す「番組Ａ」、接合条件として「適応情報の情報種別が警告情報でない。」が含まれる。代表情報は複数あってもよい。【００３７】
代表情報提示判定部１１０は、本発明に係る代表情報提示判定手段に相当し、具体的には、前記適応状況判定部１０７の判定と前記目的状況判定部１０４の判定を用いて前記代表情報を提示する状況であるかを判定する。判定動作については、後述する。【００３８】
代表情報接合部１１１は、本発明に係る接合手段に相当し、具体的には、前記代表情報提示判定部１１０の判定により前記代表情報を前記適応情報に接合するよう提示制御する。例えば、適応情報が「電車到着あと１０分」という時刻通知Ａで、代表情報が英会話番組のオープニング画面（代表情報Ａ）である場合、時刻通知Ａに代表情報Ａを接合表示する際には、時刻通知Ａに続けて代表情報Ａを提示するよう制御する。接合は、時間的な接合に限定されず、空間的な接合（空間的に近くに提示する方法）でもよいし、時間的な接合と空間的な接合の組み合わせでもよい。また、接合は、適応情報と代表情報とが互いに他方に時間的や空間的に割り込んだり、重なったりして提示される方法でもよい。接合の具体例については後で詳しく説明する。【００３９】
情報提示部１２０は、本発明に係る提示手段に相当し、具体的には、前記目的状況判定部１０４の判定により前記目的情報を提示し、前記適応状況判定部１０７の判定より前記適応情報を提示し、前記代表情報接合部１１１の制御により前記代表情報を接合提示する。【００４０】
情報提示部１２０は、目的情報をユーザに提示（表示や音声出力や振動出力など）する。例えば、ユーザが装着しているＨＭＤの画面に英会話番組を自動提示する。情報提示部１２０は、適応情報をユーザに提示（表示や音声出力や振動出力など）する。例えば、乗車駅まで歩いているユーザが装着しているＨＭＤの画面に時刻通知Ａとして７時０２分に「電車到着あと１０分」と表示する。同様に、７時０７分には「電車到着あと５分」と表示する。情報提示部１２０は、ユーザに対して映像音声を提示できるＨＭＤやプロジェクターなどでもよい。ＨＭＤは透過型ディスプレイ、フェイスマウントディスプレイ、眼鏡型ディスプレイ、網膜走査型ディスプレイなどでもよい。また、誘導装置とは別の装置に対して指示を送出する処理部を情報提示部としてもよい。【００４１】
なお、図２における各部は、１台のコンピュータ上にあってもよいし、１台のコンピュータ上になくてもよい。例えば、図２の各部の全てが１台のＨＭＤに含まれていてもよいし、目的設定部１０１が別の機器にあってもよいし、誘導立案部１０２がインターネット上のサーバ機器でもよい。また、複数のコンピュータ上に各部が分散していてもよい。例えば、目的情報を提示する情報提示部と、適応情報や代表情報を提示する情報提示部とが分かれていてもよい。また、図２における各部は複数存在してもよい。例えば、情報提示部が２つあってもよい。複数ユーザで図２の各部を共有してもよい。【００４２】
次に動作について説明する。【００４３】
図３は、図２の誘導装置の代表情報提示判定部１１０の動作を示す図である。【００４４】
本説明では、透過型ＨＭＤを装着したユーザが電車内で確実に英会話番組を見るようにするための動作について説明する。透過型ＨＭＤは、以下に説明するように、乗車後に英会話番組を自動再生するだけでなく、乗車駅までの道のりにおいて英会話番組のオープニング画面を時折ユーザに見させる。【００４５】
図４は、ユーザと乗車駅との位置関係を示す図である。ユーザは朝ユーザ宅を出発し、乗車駅まで徒歩で移動し、乗車駅で電車に乗る。電車は図の右方向へ移動していく。ユーザは最初、ユーザ宅と地点Ａとの間にいて、乗車駅に向かって歩いている。地点ＡでＨＭＤは、ユーザに対し、「電車到着あと１０分」と表示し、続けて、英会話番組のオープニング画面を表示する。同様に、地点ＢでＨＭＤは、「電車到着あと５分」と表示し、続けて、英会話番組のオープニング画面を表示する。その後ユーザが乗車駅にて電車に乗り、電車が駅を出発すると、ＨＭＤは、英会話番組の自動再生を開始する。【００４６】
図５は、以上の動作を行うための目的情報と代表情報と適応情報を示す図である。目的情報や代表情報に含まれる画像１や画像２の数字は表示順を意味する。すなわち、画像１を表示し、その後画像２を表示することを表す。【００４７】
図６は、以上の動作によってＨＭＤが提示する情報を示す図である。【００４８】
図５の目的情報「番組Ａ」を誘導立案部で生成し、目的情報記憶部で記憶し、目的状況判定部で提示判定し、情報提示部で提示する動作は、前述した各部の説明のとおりである。図７の目的設定表は、目的情報記憶部にて「番組Ａ」を記憶していることを示す。図５の代表情報「代表情報Ａ」を記憶するまでの動作も同様に、前述した目的設定部や誘導立案部や代表情報記憶部の説明のとおりである。図７の代表情報表は、代表情報記憶部にて「代表情報Ａ」を記憶していることを示す。図５の適応情報「時刻通知Ａ」や「時刻通知Ｂ」を適応情報取得部で取得し、適応状況判定部で提示判定し、情報提示部で提示する動作は、前述した各部の説明のとおりである。図７の適応情報表は、適応情報取得部にて「時刻通知Ａ」を管理していることを示す。【００４９】
次に、代表情報を適応情報に接合提示するかどうか代表情報提示判定部１１０が判定する動作を図３に基づいて説明する。【００５０】
（Ｓ１００）判定処理を開始し、Ｓ１０１の動作へ移る。【００５１】
（Ｓ１０１）適応情報を提示する状態（「適応状態」）まで待ち、Ｓ１０２の動作へ移る。この処理によって、ユーザがユーザ宅から地点Ａの間にいる際や、地点Ａから地点Ｂの間にいる際に、代表情報が提示されることを防いでいる。ユーザが地点Ａに到着し、適応状況判定部が時刻通知Ａを提示すると判定すると、Ｓ１０１で待つ処理は完了し、次の動作へ移る。【００５２】
（Ｓ１０２）代表情報があるかどうか判定する。ある場合はＳ１０３の動作へ移り、ない場合はＳ１０６の動作へ移る。代表情報提示判定部１１０は、代表情報記憶部１０９を参照し、代表情報として「代表情報Ａ」（英会話番組のオープニング画面）が存在することを確認する。【００５３】
（Ｓ１０３）目的情報の提示前であるかどうか判定する。提示前ならＳ１０４の動作へ移り、提示前でなければＳ１０６の動作へ移る。代表情報提示判定部１１０は、まず代表情報表の目的情報欄を参照し、代表情報Ａに対応する目的情報は番組Ａであると特定する。【００５４】
次に、代表情報提示判定部１１０は、番組Ａの提示状況を目的状況判定部１０４に対して要求する。目的状況判定部１０４は、目的情報記憶部１０３にある目的設定表の提示状況欄を参照し、番組Ａの提示状況は「未提示」であると代表情報提示判定部１１０へ返答する。これにより代表情報提示判定部１１０は、目的情報が提示前であると判定する。【００５５】
なお、目的情報の提示前なら必ずＳ１０４へ移る限定を外してもよい。例えば、目的状況までの残り時間が３０分以上の場合は、Ｓ１０６に移ってもよい。【００５６】
（Ｓ１０４）適応情報が接合条件を満たすかどうか判定する。満たすならＳ１０５の動作へ、満たさないならＳ１０６の動作へ移る。代表情報提示判定部１１０は、代表情報表の接合条件欄を参照し、「適応情報の情報種別が警告情報でない」という接合条件を取得する。さらに代表情報提示判定部１１０は、時刻通知Ａの情報種別を適応状況判定部１０７に対して要求する。適応状況判定部１０７は、適応情報取得部１０６にある適応情報表の情報種別欄を参照し、時刻通知Ａの情報種別は「通常通知情報」であると代表情報提示判定部１１０に通知する。これにより情報提示判定部１１０は、通常通知情報は警告情報ではないので、時刻通知Ａが接合条件を満たすと判定する。【００５７】
なお、Ｓ１０４での判定は、警告情報であるかどうかだけを判定することに限定しない。適応情報が警告や緊急などユーザの即時行動や注意を要求する情報であるほど、接合条件を満たしにくくなるように、段階的に判定してもよい。【００５８】
（Ｓ１０５）代表情報を適応情報に接合提示すると判定し、Ｓ１０７の動作へ移る。【００５９】
（Ｓ１０６）代表情報を適応情報に接合提示しないと判定し、Ｓ１０７の動作へ移る。【００６０】
（Ｓ１０７）判定処理を終了する。【００６１】
以上の動作により、図６に示すように、地点Ａでは、英会話番組のオープニング画面である「代表情報Ａ」が「電車到着あと１０分」に続けて提示されるようになる。同様に、地点Ｂでは、図６に示すように、代表情報Ａが「電車到着あと５分」に続けて提示されるようになる。また、地点Ａや地点Ｂ以外で突然代表情報が提示されることはない。【００６２】
以下、本発明の実施の形態を更に詳しく説明する。【００６３】
図８および図９は、ＨＭＤ１０を装着したユーザの視野映像を示す図である。ここでも、ユーザは、ユーザ宅から乗車駅まで徒歩で移動しているものと仮定する。【００６４】
ユーザは、ユーザ宅と地点Ａとの間にいるときは、図８（Ａ）に示すように、乗車駅までの進路を視認することになる。地点Ａに到達すると、図８（Ｂ）に示すように、視野の左上に「電車到着あと１０分」という表示を視認することになる。その直後、図８（Ｃ）に示すように、視野の左上に英会話番組のオープニング画面を視認することになり、さらにその直後、図８（Ｄ）に示すように、視野の左上に「楽しいよ」という表示を視認することになる。そのまま歩き続けると、ユーザは、図９（Ａ）に示すように、乗車駅までの進路を視認することになる。地点Ｂに到達すると、図９（Ｂ）に示すように、視野の左上に「電車到着あと５分」という表示を視認することになる。その直後、図９（Ｃ）に示すように、視野の左上に英会話番組のオープニング画面を視認することになり、さらにその直後、図９（Ｄ）に示すように、視野の左上に「楽しいよ」という表示を視認することになる。【００６５】
次に、適応情報の情報種別が緊急または警告である場合について説明する。【００６６】
図１０は、ＨＭＤ１０を装着したユーザの視野映像を示す図である。ここでは、図１０（Ａ）に示すように、乗車駅に向かって徒歩で移動しているユーザの前方から自動車が接近しているものと仮定する。この場合、図１０（Ｂ）に示すように、視野の左上に「止まれ！！」という表示を視認することになる。この表示は警告であるため、図１０（Ｃ）に示すように、「止まれ！！」に続いて英会話番組のオープニング画面は表示されない。ユーザは、地点Ａに到達すると、図１０（Ｄ）に示すように、視野の左上に「電車到着あと１０分」という表示を視認することになる。その直後、英会話番組のオープニング画面等を視認することになるが、この点は既に説明した通りであるため詳しい説明を省略する。【００６７】
なお、ここでは、図１０（Ｄ）に示される時点で「電車到着あと１０分」という適応情報が提示されることとしているが、本発明はこれに限定されるものではない。すなわち、「止まれ！！」などの警告が提示されると、この警告に関係しない情報は一定時間提示しないようにしてもよい。例えば、地震速報のような警告が提示された場合は、その後に非難経路情報を優先して提示するのが好ましいときがある。従って、このようなときは、「電車到着あと１０分」という適応情報は提示されないようにする。適用情報を提示するかしないかを適切に判定するために、警告にレベルを設けてもよい。一定レベル以上の警告が提示された場合のみ適応情報を提示しないようにすれば、適応情報の提示が無駄に制限されてしまう不具合を回避することができる。【００６８】
次に、接合の具体例について説明する。【００６９】
図８および図９では、適応情報と代表情報とが時間的に続けて提示される場合を例示したが、接合の態様は様々ある。すなわち、図１１に示すように、代表情報が適応情報に時間的に割り込んで提示されてもよい。あるいは、図１２に示すように、適応情報と代表情報とが時間的に重なって提示されてもよい。適応情報と代表情報とが時間的に重なって提示されるとは、適応情報と代表情報とが空間的に並んで提示されることと同じ意味である。あるいは、図１３に示すように、代表情報が適応情報に空間的に割り込んで提示されてもよい。あるいは、図１４に示すように、適応情報と代表情報とが空間的に重なって提示されてもよい。これにより、ユーザの状況や好みに応じた態様で、適応情報と代表情報とを接合することができる。なお、ここでは、英会話番組のオープニング画面のみを代表情報とした場合を例示したが、このオープニング画面に「楽しいよ」という画像を加えたものを代表情報としてもよいのはもちろんである。【００７０】
以上のように、本発明によれば、適応情報と代表情報とが接合されて提示されるので、代表情報がユーザの状況に適応していない場合でも、その代表情報がユーザに唐突感を与えることや無視されることを軽減することができる。さらに、代表情報を視聴させられることから、コンテンツの視聴に対する唐突感も合わせて軽減できる効果もある。【００７１】
なお、図３に示したＳ１０１からＳ１０４までの動作は、どちらが先に行われてもよい。Ｓ１０５かＳ１０６の動作までに、Ｓ１０１からＳ１０４までの動作や判定が完了していればよい。さらに、図３に示した各動作は、即時に次々と動作してもよいし、時間をおいて動作してもよいし、並行して動作してもよい。【００７２】
なお、Ｓ１０１からＳ１０４までの判定は、必ずしも二者択一の決定でなくてもよく、確率を用いて算出してもよい。【００７３】
なお、上記した各実施の形態は、上述した処理手順をＣＰＵに解釈実行させる所定のプログラムデータとして実現することもできる。この場合、プログラムデータは、記録媒体を介して記憶装置内に導入されてもよいし、記録媒体上から直接実行されてもよい。記録媒体は、ＲＯＭ、ＲＡＭ、フラッシュメモリ等の半導体メモリ、フレキシブルディスクやハードディスク等の磁気ディスクメモリ、ＣＤ−ＲＯＭやＤＶＤ、ＢＤ、ＳＤカード等の光ディスクやメモリカード等をいう。また、記録媒体は、電話回線や搬送路等の通信媒体も含む概念である。
【産業上の利用可能性】
【００７４】
本発明にかかるコンテンツ提示装置は、ユーザ状況に適応していない情報を提示した場合でも、その提示情報がユーザに唐突感を与えることや無視されることを軽減することが必要なＨＭＤ、プロジェクター、カーナビゲーションシステムなどの用途にも応用できる。
【図１】
2007072675.tif 000003
【図２】
2007072675.tif 000004
【図３】
2007072675.tif 000005
【図４】
2007072675.tif 000006
【図５】
2007072675.tif 000007
【図６】
2007072675.tif 000008
【図７】
2007072675.tif 000009
【図８】
2007072675.tif 000010
【図９】
2007072675.tif 000011
【図１０】
2007072675.tif 000012
【図１１】
2007072675.tif 000013
【図１２】
2007072675.tif 000014
【図１３】
2007072675.tif 000015
【図１４】
2007072675.tif 000016
【手続補正書】
【提出日】平成20年6月5日(2008.6.5)
【手続補正１】
【補正対象書類名】特許請求の範囲
【補正対象項目名】全文
【補正方法】変更
【補正の内容】
【特許請求の範囲】
【請求項１】
コンテンツを提示するコンテンツ提示装置であって、
前記コンテンツを取得するコンテンツ取得手段と、
前記コンテンツに含まれる代表的な情報である代表情報を取得する代表情報取得手段と、
ユーザの状況に適応した情報である適応情報を取得する適応情報取得手段と、
前記適応情報取得手段によって取得された前記適応情報と前記代表情報取得手段によって取得された前記代表情報とを接合する接合手段と、
前記接合手段によって接合された前記適応情報と前記代表情報とを提示した後、前記コンテンツ取得手段によって取得された前記コンテンツを提示する提示手段と
を備えることを特徴とするコンテンツ提示装置。
【請求項２】
前記接合手段は、前記適応情報と前記代表情報とが時間的に続けて提示されるように、前記代表情報が前記適応情報に時間的に割り込んで提示されるように、前記適応情報と前記代表情報とが時間的に重なって提示されるように、前記適応情報と前記代表情報とが空間的に並んで提示されるように、前記代表情報が前記適応情報に空間的に割り込んで提示されるように、または、前記適応情報と前記代表情報とが空間的に重なって提示されるように制御することで、前記適応情報と前記代表情報とを接合する
ことを特徴とする請求項１記載のコンテンツ提示装置。
【請求項３】
前記コンテンツ提示装置は、さらに、
前記代表情報を提示する状況であるかを判定する代表情報提示判定手段を備え、
前記接合手段は、前記代表情報を提示する状況であると判定された場合、前記適応情報と前記代表情報とを接合する
ことを特徴とする請求項１記載のコンテンツ提示装置。
【請求項４】
前記代表情報提示判定手段は、前記適応情報の情報種別が緊急または警告でない場合、前記代表情報を提示する状況であると判定する
ことを特徴とする請求項３記載のコンテンツ提示装置。
【請求項５】
前記適応情報取得手段は、ユーザを取り巻く環境に関係する情報を適応情報として取得することを特徴とする請求項１記載のコンテンツ提示装置。
【請求項６】
前記適応情報取得手段は、現在時刻を示す時刻情報とユーザの現在位置を示す位置情報のうちの少なくとも１つに関係する情報を適応情報として取得する
ことを特徴とする請求項１記載のコンテンツ提示装置。
【請求項７】
前記提示手段は、ユーザ装着型の透過型ディスプレイである
ことを特徴とする請求項１記載のコンテンツ提示装置。
【請求項８】
コンテンツを提示するコンテンツ提示方法であって、
前記コンテンツを取得するコンテンツ取得ステップと、
前記コンテンツに含まれる代表的な情報である代表情報を取得する代表情報取得ステップと、
ユーザの状況に適応した情報である適応情報を取得する適応情報取得ステップと、
前記適応情報取得ステップにおいて取得された前記適応情報と前記代表情報取得ステップにおいて取得された前記代表情報とを接合する接合ステップと、
前記接合ステップにおいて接合された前記適応情報と前記代表情報とを提示した後、前記コンテンツ取得ステップにおいて取得された前記コンテンツを提示する提示ステップと
を含むことを特徴とするコンテンツ提示方法。
【請求項９】
コンテンツを提示するためのプログラムであって、
前記コンテンツを取得するコンテンツ取得ステップと、
前記コンテンツに含まれる代表的な情報である代表情報を取得する代表情報取得ステップと、
ユーザの状況に適応した情報である適応情報を取得する適応情報取得ステップと、
前記適応情報取得ステップにおいて取得された前記適応情報と前記代表情報取得ステップにおいて取得された前記代表情報とを接合する接合ステップと、
前記接合ステップにおいて接合された前記適応情報と前記代表情報とを提示した後、前記コンテンツ取得ステップにおいて取得された前記コンテンツを提示する提示ステップと
をコンピュータに実行させるためのプログラム。
【請求項１０】
コンテンツを提示するためのプログラムを記録したコンピュータ読み取り可能な記録媒体であって、
前記コンテンツを取得するコンテンツ取得ステップと、
前記コンテンツに含まれる代表的な情報である代表情報を取得する代表情報取得ステップと、
ユーザの状況に適応した情報である適応情報を取得する適応情報取得ステップと、
前記適応情報取得ステップにおいて取得された前記適応情報と前記代表情報取得ステップにおいて取得された前記代表情報とを接合する接合ステップと、
前記接合ステップにおいて接合された前記適応情報と前記代表情報とを提示した後、前記コンテンツ取得ステップにおいて取得された前記コンテンツを提示する提示ステップと
をコンピュータに実行させるためのプログラムを記録した記録媒体。
【請求項１１】
コンテンツを提示する集積回路であって、
前記コンテンツを取得するコンテンツ取得手段と、
前記コンテンツに含まれる代表的な情報である代表情報を取得する代表情報取得手段と、
ユーザの状況に適応した情報である適応情報を取得する適応情報取得手段と、
前記適応情報取得手段によって取得された前記適応情報と前記代表情報取得手段によって取得された前記代表情報とを接合する接合手段と、
前記接合手段によって接合された前記適応情報と前記代表情報とを提示した後、前記コンテンツ取得手段によって取得された前記コンテンツを提示する提示手段と
を備えることを特徴とする集積回路。
【手続補正２】
【補正対象書類名】明細書
【補正対象項目名】全文
【補正方法】変更
【補正の内容】
【発明の詳細な説明】
【技術分野】
【０００１】
本発明は、コンテンツを提示する装置に関し、特に、ＨＭＤ（ヘッドマウントディスプレイ）やプロジェクターなどで、映像やＢＧＭやキャラクターなどのコンテンツをユーザに提示することによって、ユーザを誘導する装置に関する。
【背景技術】
【０００２】
従来、ユーザが直接指定していない情報を自動提示するシステムとして、広告提示システムや、ユーザ状況に応じた情報を提示するシステムがあった。
【０００３】
例えば、ユーザが文書の提示をシステムに要求した際に、要求された文書に広告を付けて提示するシステムがあった（例えば、特許文献１参照）。このシステムによると、ユーザが指定した文書に関連した広告をユーザに見せることができる。
【０００４】
また、類似したシステムとして、インターネットのＷＷＷ（Ｗｏｒｌｄ  Ｗｉｄｅ  Ｗｅｂ）でユーザが検索した情報をシステムが提示する際に、その情報の近傍に関連広告を表示するシステムがあった（例えば、特許文献２参照）。このシステムによると、ユーザが検索した情報に類似した広告をユーザに見せることができる。
【０００５】
また、ユーザが居る位置に関連する情報を提示するカーナビゲーションシステムがあった（例えば、特許文献３参照）。このシステムによると、ユーザの居場所に関連した情報をユーザに見せることができる。
【特許文献１】特開２００４−１１８７１６号公報
【特許文献２】国際公開第０１／０８００７５号パンフレット
【特許文献３】特開２００３−１０６８４４号公報
【発明の開示】
【発明が解決しようとする課題】
【０００６】
従来のシステムでは、ユーザの状況（読みたい文書の要求、見たい情報の検索、現在位置など）に関連した情報を提示することはできても、関連していない情報は提示されない。
【０００７】
一方で、ユーザの状況に関連した情報提示では、解決できない誘導分野がある。例えば、通勤中のユーザに対して電車に乗ったら英会話番組を視聴させるシステムの場合、ユーザが電車に乗った状況を検知して英会話番組を自動再生させたとしても、ユーザがその番組を視聴するとは限らない。そこで、ユーザが英会話番組を視聴するように誘導するために、電車に乗る以前に英会話番組の予告等を見せておく方法が考えられる。
【０００８】
しかし、まだ電車に乗っていないユーザに対して突然予告等を提示することは、ユーザの状況に適応していない情報を提示することとなる。ユーザの状況に適応していない情報を提示すると、その提示情報がユーザに唐突感を与えたり無視されてしまったりする課題がある。このような課題に対しては、何ら対策がされていないのが現状である。
【０００９】
本発明は、前記課題を解決するもので、ユーザ状況に適応していない情報を提示した場合でも、その提示情報がユーザに唐突感を与えることや無視されることを軽減することができるコンテンツ提示装置を提供することを目的とする。
【課題を解決するための手段】
【００１０】
前記従来の課題を解決するために、本発明のコンテンツ提示装置は、前記コンテンツを取得するコンテンツ取得手段と、前記コンテンツに含まれる代表的な情報である代表情報を取得する代表情報取得手段と、ユーザの状況に適応した情報である適応情報を取得する適応情報取得手段と、前記適応情報取得手段によって取得された前記適応情報と前記代表情報取得手段によって取得された前記代表情報とを接合する接合手段と、前記接合手段によって接合された前記適応情報と前記代表情報とを提示した後、前記コンテンツ取得手段によって取得された前記コンテンツを提示する提示手段とを備える。これにより、適応情報と代表情報とが接合されて提示されるので、代表情報がユーザの状況に適応していない場合でも、その代表情報がユーザに唐突感を与えることや無視されることを軽減することができる。さらに、代表情報を視聴させられることから、コンテンツの視聴に対する唐突感も合わせて軽減できる効果もある。
【００１１】
ここで、前記接合手段は、前記適応情報と前記代表情報とが時間的に続けて提示されるように、前記代表情報が前記適応情報に時間的に割り込んで提示されるように、前記適応情報と前記代表情報とが時間的に重なって提示されるように、前記適応情報と前記代表情報とが空間的に並んで提示されるように、前記代表情報が前記適応情報に空間的に割り込んで提示されるように、または、前記適応情報と前記代表情報とが空間的に重なって提示されるように制御することで、前記適応情報と前記代表情報とを接合してもよい。これにより、ユーザの状況や好みに応じた態様で、適応情報と代表情報とを接合することができる。
【００１２】
また、前記コンテンツ提示装置は、さらに、前記代表情報を提示する状況であるかを判定する代表情報提示判定手段を備え、前記接合手段は、前記代表情報を提示する状況であると判定された場合、前記適応情報と前記代表情報とを接合してもよい。これにより、代表情報を提示することが適応情報を提示することの邪魔にならない場合のみ、適応情報と代表情報とを接合することができる。
【００１３】
また、前記代表情報提示判定手段は、前記適応情報の情報種別が緊急または警告でない場合、前記代表情報を提示する状況であると判定してもよい。これにより、適応情報の情報種別が緊急または警告である場合は代表情報が提示されないので、適応情報を視聴したユーザの行動を阻害することを避けられる効果がある。
【００１４】
また、前記適応情報取得手段は、ユーザを取り巻く環境に関係する情報を適応情報として取得してもよい。ユーザを取り巻く環境に関係する情報はユーザにとって便利な情報が多いので、このような便利な情報を提示するついでに代表情報を提示することが可能となる。
【００１５】
また、前記適応情報取得手段は、現在時刻を示す時刻情報とユーザの現在位置を示す位置情報のうちの少なくとも１つに関係する情報を適応情報として取得してもよい。時刻情報や位置情報と関係する情報はユーザにとって便利な情報が多いので、このような便利な情報を提示するついでに代表情報を提示することが可能となる。
【００１６】
また、前記提示手段は、ユーザ装着型の透過型ディスプレイでもよい。これにより、ユーザが意識的に画面を見ようとしなくても代表情報が自然と視界に映るために、ユーザが代表情報を視聴する可能性が高まる効果がある。
【００１７】
なお、本発明は、このようなコンテンツ提示装置として実現することができるだけでなく、このようなコンテンツ提示装置が備える特徴的な手段を備える集積回路として実現したり、このようなコンテンツ提示装置が備える特徴的な手段をステップとするコンテンツ提示方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【発明の効果】
【００１８】
本発明のコンテンツ提示装置によれば、適応情報と代表情報とが接合されて提示されるので、代表情報がユーザの状況に適応していない場合でも、その代表情報がユーザに唐突感を与えることや無視されることを軽減することができる。さらに、代表情報を視聴させられることから、コンテンツの視聴に対する唐突感も合わせて軽減できる効果もある。
【発明を実施するための最良の形態】
【００１９】
以下、本発明の実施の形態について、図面を参照しながら説明する。
【００２０】
（実施の形態１）
図１は、本発明の実施の形態１におけるＨＭＤ（ヘッドマウントディスプレイ）１０の外観図である。普通の眼鏡１１の上に小さな投影装置１２がのっている。投影装置１２には、画像データや電力などがケーブル１３を通して本体１４から送られる。投影装置１２に送られた画像データは、眼鏡１１のレンズに沿って装着される表示プリズムに２７度程度の視野角で投影される。画像データが投影されていないときは、ごく普通に眼鏡を通してあたりの風景を見ることができる。一方、画像データが投影されているときは、その風景の中に投影中の画像が浮かんで見える。
【００２１】
ここでは、ケーブル１３を通じて本体１４から情報を取得することとしているが、通信手段を備えればインターネット等から情報を取得することも可能である。また、単眼用のＨＭＤを例示しているが、両眼用のＨＭＤを採用することも可能である。さらに、透過型のＨＭＤを例示しているが、密閉型のＨＭＤを採用することも可能である。透過型のＨＭＤとは、外界光の入射による自然画像とともに仮想の画像をユーザに提示するタイプのＨＭＤをいい、密閉型のＨＭＤとは、外界光の入射を遮断して仮想の画像のみをユーザに提示するタイプのＨＭＤをいう。
【００２２】
図２は、本発明の実施の形態１における誘導装置の構成図である。この誘導装置は、コンテンツを提示する装置であって、本発明に係るコンテンツ提示装置に相当する。
【００２３】
図２の構成図において、各構成要素とその関係を記す。
【００２４】
目的設定部１０１は、ユーザの誘導目的を設定する。誘導目的（以下「目的」とも記す）は、ユーザの行動に関する目的や、外界状況に関する目的、身体状態や心理状態に関する目的でもよいし、それらの組み合わせでもよい。例えば、通勤時に電車内で英会話番組を視聴することでもよいし、ある物理地点への到達でもよいし、体重や体形の変更でもよいし、英語の試験の点数でもよいし、英語に対する学習意欲向上でもよい。目的は、ユーザ自身が設定してもよいし、家族や知人や誘導サービス提供者などユーザ以外の人が設定してもよいし、誘導装置が自動で目的を推測して設定してもよいし、それらの組み合わせでもよい。
【００２５】
誘導立案部１０２は、本発明に係るコンテンツ取得手段および代表情報取得手段に相当し、具体的には、前記目的設定部で設定された誘導目的を表す目的情報と前記目的情報の一部を含む代表情報とを生成する。目的情報は、本発明に係るコンテンツに相当し、具体的には、目的が情報視聴である場合はその情報を意味し、目的がユーザ行動や外界状況や身体状態や心理状態である場合は、それらを促したり気付かせたりする情報を意味する。例えば、目的が英会話番組の視聴である場合は、目的情報は英会話番組となる。目的が物理地点への到達である場合は、目的情報はユーザの進路変更を促す情報や目的地到達を知らせる情報となる。目的が体重や体形の変更である場合は、目的情報は特定の食事や運動などの行動を勧めたり止めたりする情報や目的の体重や体形への到達を知らせる情報となる。同様に、目的が英語の試験の点数や学習意欲向上である場合は、目的情報は英語教材そのものや英語学習の開始を促す情報や目的到達を知らせる情報となる。
【００２６】
目的から目的情報を生成するために、誘導立案部は目的情報生成データベースを保持、あるいは外部のデータベースへの参照を保持している。データベースには、設定される目的に応じた目的情報が登録されている。目的情報は、ユーザ自身が登録してもよいし、誘導サービス提供者などユーザ以外の人が登録してもよいし、ユーザやユーザ以外の利用者の過去の登録や履歴を用いて誘導システムが自動で推測して登録してもよいし、それらの組み合わせでもよい。
【００２７】
代表情報は、目的情報に含まれる代表的な情報である。代表情報は目的情報の提示に先んじて提示される特徴を持ち、目的情報提示の効果を上げるために提示される。例えば、目的情報が英会話番組の場合は、代表情報は英会話番組のオープニング画面や特徴的なシーンとなる。目的情報がユーザの進路変更を促す「次を右折です。」といった情報の場合は、代表情報は進路の選択肢が存在することを気付かせる「右折もできるのかぁ。」といった情報や、何らかの変更を促すことを予告する「次は、どちらかなぁ。」といった情報となる。目的情報が特定の食事や運動などの行動を促す「お茶にしましょう」や「階段を使いましょう」といった情報の場合は、代表情報は行動を促す前に行動の選択肢の存在を気付かせる「お茶もあるね。」や「この階段をクリアできるか？」といった情報となる。なお、ここでいう「次を右折です。」「お茶にしましょう」「階段を使いましょう」といった情報は目的情報の一例であって、本発明に係るコンテンツに相当する。
【００２８】
目的情報から代表情報を生成するために、誘導立案部は目的情報から主要な一部を切り出し、切り出した一部に補足的な情報を加えることで代表情報を生成する。主要な一部の判定方法は、予め目的情報にメタデータ等の付加情報が与えられている場合は、付加情報の種類や数値を用いて選択する方法でもよい。一方、付加情報が与えられていない場合は、最初の５秒分のシーンを切り出す方法や特徴的な言葉を抽出する方法など、予め決めておいた方法を用いてもよい。また、切り出した一部に補足的な情報を加える方法は、予め登録しておいた補足的な情報を選択して加える方法でもよいし、テンプレートのように切り出した一部を加えることのできる形式の情報を用いてもよいし、それらの組み合わせでもよい。補足的な情報を加えずに、目的情報の一部のみを代表情報としてもよい。
【００２９】
目的情報記憶部１０３は、前記誘導立案部１０２で生成された目的情報を記憶する。記憶とは、生成された情報を使用するまでの間、保持しておくことを意味する。なお、情報そのものを保持していなくても、情報への参照を保持しておいてもよい。
【００３０】
目的情報記憶部１０３は、ひとつの目的を記憶するためにひとつの目的設定表と称する表を作成し、その表を用いて目的情報を記憶する。目的設定表には、目的情報の名称である目的情報名、目的情報を提示する際のユーザ状況である目的状況、目的情報の提示の有無や回数を示す提示状況を含んでもよい。例えば、目的情報として英会話番組を記憶するための目的設定表には、目的情報名として「番組Ａ」、目的状況として「平日午前にユーザが乗車駅を通過した直後」、提示状況として「未提示」が含まれる。目的は複数あってもよい。
【００３１】
目的状況判定部１０４は、前記目的情報を提示する状況であるかを判定する。目的状況判定部１０４は、ユーザの状況や状態を取得する各種センサーからユーザ状況を取得し、前記目的状況に現状況が合致するかどうかを判定し、合致する場合は、目的情報を提示すると判定する。各種センサーとして、ＧＰＳ（Ｇｌｏｂａｌ  Ｐｏｓｉｔｉｏｎｉｎｇ  Ｓｙｓｔｅｍ）や、時計や、スケジューラなどを保持していてもよい。内部の各種センサーから情報を取得するのではなく、外部の各種センサーから情報を取得してもよい。目的状況と現状況との合致は、完全な一致を判定してもよいし、所定の範囲内での近似を合致として扱ってもよい。例えば、目的設定表の目的情報名が「番組Ａ」で、目的状況が「平日午前にユーザが乗車駅を通過した直後」であった場合、目的状況判定部１０４は、保持している時計より現在が平日午前であると判定する。また、ユーザが装着しているＧＰＳからの現在位置情報と、ユーザが予め登録しておいた乗車駅の位置情報とを比較する。このようにすれば、現在位置情報と乗車駅の位置情報との差が１００メートル以内に入った後、ユーザが乗車した電車が出発したことで現在位置情報と乗車駅の位置情報との差が１００メートル以上になった時、目的情報を提示すると判定できる。
【００３２】
適応情報取得部１０６は、本発明に係る適応情報取得手段に相当し、具体的には、ユーザ状況に応じて提示する適応情報を取得する。適応情報とは、ユーザ状況に適応した情報を意味する。例えば、電車に乗るために駅まで歩いているユーザに対する適応情報は、電車到着までの残り時間でもよい。歩いて駅までたどり着いたユーザに対する適応情報は、電車の時刻表でもよい。商店街に居るユーザに対する適応情報は、近くにある店紹介でもよい。言い換えると、適応情報は、ユーザを取り巻く環境に関係する情報、より具体的には、現在時刻を示す時刻情報とユーザの現在位置を示す位置情報のうちの少なくとも１つに関係する情報ということができる。さらに適応情報取得部１０６は、ひとつの適応情報を管理するためにひとつの適応情報表と称する表を作成してもよい。適応情報表には、適応情報の名称である適応情報名や、適応情報を提示する状況を示す適応状況や、適応情報の種別を表す情報種別が含まれてもよい。例えば、適応情報が電車到着までの残り時間である場合の適応情報表には、適応情報名として「時刻通知Ａ」、適応状況として、電車到着の１０分前を表す「平日の７時０２分」、情報種別として「通常通知情報」が含まれる。適応情報は複数あってもよい。適応情報取得部１０６が適応情報を取得する方法は、予めユーザが適応情報を登録しておく方法でもよいし、外部の適応情報への参照を登録しておき、携帯電話網や無線通信網などを使用して外部の適応情報を取得する方法でもよい。
【００３３】
適応状況判定部１０７は、前記適応情報を提示する状況であるかを判定する。適応状況判定部１０７は、ユーザの状況や状態を取得する各種センサーからユーザ状況を取得し、前記適応状況に現状況が合致するかどうかを判定し、合致する場合は、適応情報を提示すると判定する。各種センサーとして、ＧＰＳや、時計や、スケジューラなどを保持していてもよい。内部の各種センサーから情報を取得するのではなく、外部の各種センサーから情報を取得してもよい。適応状況と現状況との合致は、完全な一致を判定してもよいし、所定の範囲内での近似を合致として扱ってもよい。例えば、適応情報表の適応情報名が「時刻通知Ａ」で、適応状況が「平日の７時０２分」であった場合、適応状況判定部１０７は、保持している時計より現在が平日の７時０２分であると判定し、時刻通知Ａを提示すると判定できる。適応状況判定部１０７が保持したり使用したりする各種センサーは、目的状況判定部１０４が保持したり使用したりする各種センサーと同一のセンサーでもよいし、別のセンサーでもよい。
【００３４】
代表情報記憶部１０９は、前記誘導立案部で生成された代表情報を記憶する。記憶とは、生成された情報を使用するまでの間、保持しておくことを意味する。なお、情報そのものを保持していなくても、情報への参照を保持しておいてもよい。代表情報記憶部１０９は、ひとつの代表情報を記憶するためにひとつの代表情報表と称する表を作成し、その表を用いて代表情報を記憶する。代表情報表には、代表情報の名称である代表情報名、その代表情報がどの目的情報の一部を含んでいるかを示す目的情報、代表情報を適応情報に接合して提示する際の条件を示す接合状況が含まれてもよい。例えば、代表情報として英会話番組のオープニング画面を記憶するための代表情報表には、代表情報名として「代表情報Ａ」、目的情報として、英会話番組を示す「番組Ａ」、接合条件として「適応情報の情報種別が警告情報でない。」が含まれる。代表情報は複数あってもよい。
【００３５】
代表情報提示判定部１１０は、本発明に係る代表情報提示判定手段に相当し、具体的には、前記適応状況判定部１０７の判定と前記目的状況判定部１０４の判定を用いて前記代表情報を提示する状況であるかを判定する。判定動作については、後述する。
【００３６】
代表情報接合部１１１は、本発明に係る接合手段に相当し、具体的には、前記代表情報提示判定部１１０の判定により前記代表情報を前記適応情報に接合するよう提示制御する。例えば、適応情報が「電車到着あと１０分」という時刻通知Ａで、代表情報が英会話番組のオープニング画面（代表情報Ａ）である場合、時刻通知Ａに代表情報Ａを接合表示する際には、時刻通知Ａに続けて代表情報Ａを提示するよう制御する。接合は、時間的な接合に限定されず、空間的な接合（空間的に近くに提示する方法）でもよいし、時間的な接合と空間的な接合の組み合わせでもよい。また、接合は、適応情報と代表情報とが互いに他方に時間的や空間的に割り込んだり、重なったりして提示される方法でもよい。接合の具体例については後で詳しく説明する。
【００３７】
情報提示部１２０は、本発明に係る提示手段に相当し、具体的には、前記目的状況判定部１０４の判定により前記目的情報を提示し、前記適応状況判定部１０７の判定より前記適応情報を提示し、前記代表情報接合部１１１の制御により前記代表情報を接合提示する。
【００３８】
情報提示部１２０は、目的情報をユーザに提示（表示や音声出力や振動出力など）する。例えば、ユーザが装着しているＨＭＤの画面に英会話番組を自動提示する。情報提示部１２０は、適応情報をユーザに提示（表示や音声出力や振動出力など）する。例えば、乗車駅まで歩いているユーザが装着しているＨＭＤの画面に時刻通知Ａとして７時０２分に「電車到着あと１０分」と表示する。同様に、７時０７分には「電車到着あと５分」と表示する。情報提示部１２０は、ユーザに対して映像音声を提示できるＨＭＤやプロジェクターなどでもよい。ＨＭＤは透過型ディスプレイ、フェイスマウントディスプレイ、眼鏡型ディスプレイ、網膜走査型ディスプレイなどでもよい。また、誘導装置とは別の装置に対して指示を送出する処理部を情報提示部としてもよい。
【００３９】
なお、図２における各部は、１台のコンピュータ上にあってもよいし、１台のコンピュータ上になくてもよい。例えば、図２の各部の全てが１台のＨＭＤに含まれていてもよいし、目的設定部１０１が別の機器にあってもよいし、誘導立案部１０２がインターネット上のサーバ機器でもよい。また、複数のコンピュータ上に各部が分散していてもよい。例えば、目的情報を提示する情報提示部と、適応情報や代表情報を提示する情報提示部とが分かれていてもよい。また、図２における各部は複数存在してもよい。例えば、情報提示部が２つあってもよい。複数ユーザで図２の各部を共有してもよい。
【００４０】
次に動作について説明する。
【００４１】
図３は、図２の誘導装置の代表情報提示判定部１１０の動作を示す図である。
【００４２】
本説明では、透過型ＨＭＤを装着したユーザが電車内で確実に英会話番組を見るようにするための動作について説明する。透過型ＨＭＤは、以下に説明するように、乗車後に英会話番組を自動再生するだけでなく、乗車駅までの道のりにおいて英会話番組のオープニング画面を時折ユーザに見させる。
【００４３】
図４は、ユーザと乗車駅との位置関係を示す図である。ユーザは朝ユーザ宅を出発し、乗車駅まで徒歩で移動し、乗車駅で電車に乗る。電車は図の右方向へ移動していく。ユーザは最初、ユーザ宅と地点Ａとの間にいて、乗車駅に向かって歩いている。地点ＡでＨＭＤは、ユーザに対し、「電車到着あと１０分」と表示し、続けて、英会話番組のオープニング画面を表示する。同様に、地点ＢでＨＭＤは、「電車到着あと５分」と表示し、続けて、英会話番組のオープニング画面を表示する。その後ユーザが乗車駅にて電車に乗り、電車が駅を出発すると、ＨＭＤは、英会話番組の自動再生を開始する。
【００４４】
図５は、以上の動作を行うための目的情報と代表情報と適応情報を示す図である。目的情報や代表情報に含まれる画像１や画像２の数字は表示順を意味する。すなわち、画像１を表示し、その後画像２を表示することを表す。
【００４５】
図６は、以上の動作によってＨＭＤが提示する情報を示す図である。
【００４６】
図５の目的情報「番組Ａ」を誘導立案部で生成し、目的情報記憶部で記憶し、目的状況判定部で提示判定し、情報提示部で提示する動作は、前述した各部の説明のとおりである。図７の目的設定表は、目的情報記憶部にて「番組Ａ」を記憶していることを示す。図５の代表情報「代表情報Ａ」を記憶するまでの動作も同様に、前述した目的設定部や誘導立案部や代表情報記憶部の説明のとおりである。図７の代表情報表は、代表情報記憶部にて「代表情報Ａ」を記憶していることを示す。図５の適応情報「時刻通知Ａ」や「時刻通知Ｂ」を適応情報取得部で取得し、適応状況判定部で提示判定し、情報提示部で提示する動作は、前述した各部の説明のとおりである。図７の適応情報表は、適応情報取得部にて「時刻通知Ａ」を管理していることを示す。
【００４７】
次に、代表情報を適応情報に接合提示するかどうか代表情報提示判定部１１０が判定する動作を図３に基づいて説明する。
【００４８】
（Ｓ１００）判定処理を開始し、Ｓ１０１の動作へ移る。
【００４９】
（Ｓ１０１）適応情報を提示する状態（「適応状態」）まで待ち、Ｓ１０２の動作へ移る。この処理によって、ユーザがユーザ宅から地点Ａの間にいる際や、地点Ａから地点Ｂの間にいる際に、代表情報が提示されることを防いでいる。ユーザが地点Ａに到着し、適応状況判定部が時刻通知Ａを提示すると判定すると、Ｓ１０１で待つ処理は完了し、次の動作へ移る。
【００５０】
（Ｓ１０２）代表情報があるかどうか判定する。ある場合はＳ１０３の動作へ移り、ない場合はＳ１０６の動作へ移る。代表情報提示判定部１１０は、代表情報記憶部１０９を参照し、代表情報として「代表情報Ａ」（英会話番組のオープニング画面）が存在することを確認する。
【００５１】
（Ｓ１０３）目的情報の提示前であるかどうか判定する。提示前ならＳ１０４の動作へ移り、提示前でなければＳ１０６の動作へ移る。代表情報提示判定部１１０は、まず代表情報表の目的情報欄を参照し、代表情報Ａに対応する目的情報は番組Ａであると特定する。
【００５２】
次に、代表情報提示判定部１１０は、番組Ａの提示状況を目的状況判定部１０４に対して要求する。目的状況判定部１０４は、目的情報記憶部１０３にある目的設定表の提示状況欄を参照し、番組Ａの提示状況は「未提示」であると代表情報提示判定部１１０へ返答する。これにより代表情報提示判定部１１０は、目的情報が提示前であると判定する。
【００５３】
なお、目的情報の提示前なら必ずＳ１０４へ移る限定を外してもよい。例えば、目的状況までの残り時間が３０分以上の場合は、Ｓ１０６に移ってもよい。
【００５４】
（Ｓ１０４）適応情報が接合条件を満たすかどうか判定する。満たすならＳ１０５の動作へ、満たさないならＳ１０６の動作へ移る。代表情報提示判定部１１０は、代表情報表の接合条件欄を参照し、「適応情報の情報種別が警告情報でない」という接合条件を取得する。さらに代表情報提示判定部１１０は、時刻通知Ａの情報種別を適応状況判定部１０７に対して要求する。適応状況判定部１０７は、適応情報取得部１０６にある適応情報表の情報種別欄を参照し、時刻通知Ａの情報種別は「通常通知情報」であると代表情報提示判定部１１０に通知する。これにより情報提示判定部１１０は、通常通知情報は警告情報ではないので、時刻通知Ａが接合条件を満たすと判定する。
【００５５】
なお、Ｓ１０４での判定は、警告情報であるかどうかだけを判定することに限定しない。適応情報が警告や緊急などユーザの即時行動や注意を要求する情報であるほど、接合条件を満たしにくくなるように、段階的に判定してもよい。
【００５６】
（Ｓ１０５）代表情報を適応情報に接合提示すると判定し、Ｓ１０７の動作へ移る。
【００５７】
（Ｓ１０６）代表情報を適応情報に接合提示しないと判定し、Ｓ１０７の動作へ移る。
【００５８】
（Ｓ１０７）判定処理を終了する。
【００５９】
以上の動作により、図６に示すように、地点Ａでは、英会話番組のオープニング画面である「代表情報Ａ」が「電車到着あと１０分」に続けて提示されるようになる。同様に、地点Ｂでは、図６に示すように、代表情報Ａが「電車到着あと５分」に続けて提示されるようになる。また、地点Ａや地点Ｂ以外で突然代表情報が提示されることはない。
【００６０】
以下、本発明の実施の形態を更に詳しく説明する。
【００６１】
図８および図９は、ＨＭＤ１０を装着したユーザの視野映像を示す図である。ここでも、ユーザは、ユーザ宅から乗車駅まで徒歩で移動しているものと仮定する。
【００６２】
ユーザは、ユーザ宅と地点Ａとの間にいるときは、図８（Ａ）に示すように、乗車駅までの進路を視認することになる。地点Ａに到達すると、図８（Ｂ）に示すように、視野の左上に「電車到着あと１０分」という表示を視認することになる。その直後、図８（Ｃ）に示すように、視野の左上に英会話番組のオープニング画面を視認することになり、さらにその直後、図８（Ｄ）に示すように、視野の左上に「楽しいよ」という表示を視認することになる。そのまま歩き続けると、ユーザは、図９（Ａ）に示すように、乗車駅までの進路を視認することになる。地点Ｂに到達すると、図９（Ｂ）に示すように、視野の左上に「電車到着あと５分」という表示を視認することになる。その直後、図９（Ｃ）に示すように、視野の左上に英会話番組のオープニング画面を視認することになり、さらにその直後、図９（Ｄ）に示すように、視野の左上に「楽しいよ」という表示を視認することになる。
【００６３】
次に、適応情報の情報種別が緊急または警告である場合について説明する。
【００６４】
図１０は、ＨＭＤ１０を装着したユーザの視野映像を示す図である。ここでは、図１０（Ａ）に示すように、乗車駅に向かって徒歩で移動しているユーザの前方から自動車が接近しているものと仮定する。この場合、図１０（Ｂ）に示すように、視野の左上に「止まれ！！」という表示を視認することになる。この表示は警告であるため、図１０（Ｃ）に示すように、「止まれ！！」に続いて英会話番組のオープニング画面は表示されない。ユーザは、地点Ａに到達すると、図１０（Ｄ）に示すように、視野の左上に「電車到着あと１０分」という表示を視認することになる。その直後、英会話番組のオープニング画面等を視認することになるが、この点は既に説明した通りであるため詳しい説明を省略する。
【００６５】
なお、ここでは、図１０（Ｄ）に示される時点で「電車到着あと１０分」という適応情報が提示されることとしているが、本発明はこれに限定されるものではない。すなわち、「止まれ！！」などの警告が提示されると、この警告に関係しない情報は一定時間提示しないようにしてもよい。例えば、地震速報のような警告が提示された場合は、その後に非難経路情報を優先して提示するのが好ましいときがある。従って、このようなときは、「電車到着あと１０分」という適応情報は提示されないようにする。適用情報を提示するかしないかを適切に判定するために、警告にレベルを設けてもよい。一定レベル以上の警告が提示された場合のみ適応情報を提示しないようにすれば、適応情報の提示が無駄に制限されてしまう不具合を回避することができる。
【００６６】
次に、接合の具体例について説明する。
【００６７】
図８および図９では、適応情報と代表情報とが時間的に続けて提示される場合を例示したが、接合の態様は様々ある。すなわち、図１１に示すように、代表情報が適応情報に時間的に割り込んで提示されてもよい。あるいは、図１２に示すように、適応情報と代表情報とが時間的に重なって提示されてもよい。適応情報と代表情報とが時間的に重なって提示されるとは、適応情報と代表情報とが空間的に並んで提示されることと同じ意味である。あるいは、図１３に示すように、代表情報が適応情報に空間的に割り込んで提示されてもよい。あるいは、図１４に示すように、適応情報と代表情報とが空間的に重なって提示されてもよい。これにより、ユーザの状況や好みに応じた態様で、適応情報と代表情報とを接合することができる。なお、ここでは、英会話番組のオープニング画面のみを代表情報とした場合を例示したが、このオープニング画面に「楽しいよ」という画像を加えたものを代表情報としてもよいのはもちろんである。
【００６８】
以上のように、本発明によれば、適応情報と代表情報とが接合されて提示されるので、代表情報がユーザの状況に適応していない場合でも、その代表情報がユーザに唐突感を与えることや無視されることを軽減することができる。さらに、代表情報を視聴させられることから、コンテンツの視聴に対する唐突感も合わせて軽減できる効果もある。
【００６９】
なお、図３に示したＳ１０１からＳ１０４までの動作は、どちらが先に行われてもよい。Ｓ１０５かＳ１０６の動作までに、Ｓ１０１からＳ１０４までの動作や判定が完了していればよい。さらに、図３に示した各動作は、即時に次々と動作してもよいし、時間をおいて動作してもよいし、並行して動作してもよい。
【００７０】
なお、Ｓ１０１からＳ１０４までの判定は、必ずしも二者択一の決定でなくてもよく、確率を用いて算出してもよい。
【００７１】
なお、上記した各実施の形態は、上述した処理手順をＣＰＵに解釈実行させる所定のプログラムデータとして実現することもできる。この場合、プログラムデータは、記録媒体を介して記憶装置内に導入されてもよいし、記録媒体上から直接実行されてもよい。記録媒体は、ＲＯＭ、ＲＡＭ、フラッシュメモリ等の半導体メモリ、フレキシブルディスクやハードディスク等の磁気ディスクメモリ、ＣＤ−ＲＯＭやＤＶＤ、ＢＤ、ＳＤカード等の光ディスクやメモリカード等をいう。また、記録媒体は、電話回線や搬送路等の通信媒体も含む概念である。
【産業上の利用可能性】
【００７２】
本発明にかかるコンテンツ提示装置は、ユーザ状況に適応していない情報を提示した場合でも、その提示情報がユーザに唐突感を与えることや無視されることを軽減することが必要なＨＭＤ、プロジェクター、カーナビゲーションシステムなどの用途にも応用できる。
【図面の簡単な説明】
【００７３】
【図１】図１は、本発明の実施の形態１におけるＨＭＤの外観図である。
【図２】図２は、本発明の実施の形態１における誘導装置の構成図である。
【図３】図３は、本発明の実施の形態１における代表情報提示判定部の動作を示す図である。
【図４】図４は、本発明の実施の形態１における提示状況例の説明図である。
【図５】図５は、本発明の実施の形態１における提示情報の例を示す図である。
【図６】図６は、本発明の実施の形態１における提示例を示す図である。
【図７】図７は、本発明の実施の形態１における情報管理表の例を示す図である。
【図８】図８（Ａ）（Ｂ）（Ｃ）（Ｄ）は、本発明の実施の形態１におけるＨＭＤを装着したユーザの視野映像を示す図である。
【図９】図９（Ａ）（Ｂ）（Ｃ）（Ｄ）は、本発明の実施の形態１におけるＨＭＤを装着したユーザの視野映像を示す図である。
【図１０】図１０（Ａ）（Ｂ）（Ｃ）（Ｄ）は、本発明の実施の形態１におけるＨＭＤを装着したユーザの視野映像を示す図である。
【図１１】図１１（Ａ）（Ｂ）（Ｃ）は、本発明の実施の形態１における接合の具体例を説明するための図である。
【図１２】図１２は、本発明の実施の形態１における接合の具体例を説明するための図である。
【図１３】図１３は、本発明の実施の形態１における接合の具体例を説明するための図である。
【図１４】図１４は、本発明の実施の形態１における接合の具体例を説明するための図である。
【符号の説明】
【００７４】
１０１    目的設定部
１０２    誘導立案部
１０３    目的情報記憶部
１０４    目的状況判定部
１０６    適応情報取得部
１０７    適応状況判定部
１０９    代表情報記憶部
１１０    代表情報提示判定部
１１１    代表情報接合部
１２０    情報提示部
【手続補正３】
【補正対象書類名】図面
【補正対象項目名】全図
【補正方法】変更
【補正の内容】
【図１】
2007072675.tif 000017
【図２】
2007072675.tif 000018
【図３】
2007072675.tif 000019
【図４】
2007072675.tif 000020
【図５】
2007072675.tif 000021
【図６】
2007072675.tif 000022
【図７】
2007072675.tif 000023
【図８】
2007072675.tif 000024
【図９】
2007072675.tif 000025
【図１０】
2007072675.tif 000026
【図１１】
2007072675.tif 000027
【図１２】
2007072675.tif 000028
【図１３】
2007072675.tif 000029
【図１４】
2007072675.tif 000030
【国際調査報告】
2007072675.tif 000031
2007072675.tif 000032
2007072675.tif 000033
2007072675.tif 000034